(57)【要約】【課題】  一個の電池を用いるだけで携帯用電子機器の二次電池を充電することができ、かつ二次電池を安定に充電することができる携帯用充電器を提供する。【解決手段】  一個の電池から構成される直流電源Ｅｉと、昇圧用のインダクタンスＬ１と、逆流防止用のダイオードＤ１と、昇圧電圧を平滑して出力電圧を生成するコンデンサＣ１とを直列に接続した直列回路と、直流電源ＥｉからインダクタンスＬ１を経てこの直流電源Ｅｉに電流が流れる経路を開閉して、インダクタンスＬ１に昇圧電圧を発生させるスイッチング回路１と、出力電圧を検出する電圧検出回路３と、電圧検出回路３の検出結果を基にしてスイッチング回路１の開閉を制御する制御回路２とを備え、携帯用電子機器が二次電池の充電拒否をしたことを示す出力電圧の変化を電圧検出回路３が検出すると、制御回路２はスイッチング回路１の開閉を制御して出力電圧を下げる。【選択図】  図１
2008061324.tif 000002
【特許請求の範囲】
【請求項１】
直流電源を所望の電圧に昇圧して出力電圧を生成し、この出力電圧で携帯用電子機器の二次電池を充電する携帯用充電器であって、
一個の電池から構成される直流電源と、昇圧用のインダクタンスと、逆流防止用のダイオードと、昇圧電圧を平滑して出力電圧を生成するコンデンサとを直列に接続した直列回路と、
前記直流電源から前記インダクタンスを経てこの直流電源に電流が流れる経路を開閉して、前記インダクタンスに昇圧電圧を発生させるスイッチング回路と、
出力電圧を検出する電圧検出回路と、
前記電圧検出回路の検出結果を基にして前記スイッチング回路の開閉を制御する制御回路と、
を備え、前記携帯用電子機器が二次電池の充電拒否をしたことを示す出力電圧の変化を前記電圧検出回路が検出すると、前記制御回路は前記スイッチング回路の開閉を制御して出力電圧を下げることを特徴とする携帯用充電器。
【請求項２】
前記直流電源が一次電池あるいは二次電池から構成されることを特徴とする請求項１に記載の携帯用充電器。
【請求項３】
前記制御回路がプログラマブルコントローラから構成されることを特徴とする請求項１または２に記載の携帯用充電器。
【請求項４】
前記直流電源が１．２Ｖ〜１．７Ｖの電圧を出力することを特徴とする請求項１〜３のいずれか１項に記載の携帯用充電器。
【発明の詳細な説明】
【技術分野】
【０００１】
本発明は、携帯電話機などの携帯用電子機器の電源として用いられている二次電池を充電するための携帯用充電器に関する。
【背景技術】
【０００２】
携帯電話機で代表される最近の携帯用電子機器（以下、携帯電話機に例をあげて説明する）は、小型化技術の向上につれて商用電源に依存することなく、乾電池などの一次電池、あるいは充電可能な二次電池を電源として任意の場所で使用可能になっている。しかしながら、そのような電源用の電池は携帯電話機の使用頻度が増えるにつれて、あるいは時間の経過につれて電圧が徐々に低下してくるので、適当なタイミングで電池を交換（一時電池の場合）するか、電池を充電（二次電池の場合）しなければならない。一般に携帯電話機の電源用の電池としては、充電することで繰り返し使用が可能な二次電池がコストの点で優れているので、広く使用されている。このような二次電池としては、リチウムイオン電池、ニッケル・水素電池、ニッケル・カドミニウム電池などが知られている。
【０００３】
ところで、そのような二次電池を充電する場合、携帯電話機の使用者が屋内にいるときは、１００Ｖの商用電源に接続した卓上ホルダに携帯電話機本体をセットすることにより容易に充電することができるが、使用者が屋外にいるときは携帯電話機用充電器を持参して、これを利用して充電する必要がある。このような携帯電話機用充電器では、ほとんどの場所で入手可能な例えば一次電池である１．５Ｖの単３、単４の乾電池を複数個、あるいは乾電池と同じく円筒形状の二次電池を複数個直流電源として用いて、これらの直流電源をＤＣ−ＤＣコンバータにより携帯電話機の電源用の電池を充電するのに必要な４．５Ｖまで昇圧するような構成になっているのが一般的である。
【０００４】
そのように複数の電池を直流電源として用いる、ＤＣ−ＤＣコンバータ（インバータ）を備えた携帯電話機用充電器が提供されている（例えば、特許文献１参照。）
【特許文献１】特開２００１−１５７３７４号公報
【発明の開示】
【発明が解決しようとする課題】
【０００５】
ところで、従来の携帯電話機用充電器では、直流電源として複数の電池を用いているので、これらの電池を収納するスペースを確保する必要があるため、その分小型化に制約を受ける。また、複数の電池を常に持参しなければならないので煩雑になるだけでなく、電池を１個でも紛失した場合には使用不可能になるおそれがある。
【０００６】
また、従来の携帯電話機用充電器では、例えば３Ｖ（１．５Ｖの電池を２個用いたとして）の直流電源をＤＣ−ＤＣコンバータにより４．５Ｖに昇圧した直流を携帯電話機に供給してその二次電池を充電しているが、この充電時に携帯電話機に備えられているプロテクタ回路が働いて二次電池の充電が不可能になることが多い。すなわち、多くの携帯電話機では４．５Ｖに昇圧された電圧が急に供給されると動作に影響を受けるおそれがあるので、これを保護するためにプロテクタ回路を設けて、３．７Ｖの基準電圧以上の電圧が外部から供給されたときには、プロテクタ回路を働かせて充電を停止させるように構成されている。
【０００７】
また、上記の特許文献１に記載されている携帯電話機用充電器では、直流電源として例えば２個の単４の乾電池を用いているので、上記したのと同様な欠点が存在している。
【０００８】
そこで本発明は、一個の電池を用いるだけで携帯用電子機器の二次電池を充電することができ、かつ二次電池を安定に充電することができる携帯用充電器を提供することを目的としている。
【課題を解決するための手段】
【０００９】
前記の課題を解決するために、請求項１の発明は、直流電源を所望の電圧に昇圧して出力電圧を生成し、この出力電圧で携帯用電子機器の二次電池を充電する携帯用充電器であって、一個の電池から構成される直流電源と、昇圧用のインダクタンスと、逆流防止用のダイオードと、昇圧電圧を平滑して出力電圧を生成するコンデンサとを直列に接続した直列回路と、前記直流電源から前記インダクタンスを経てこの直流電源に電流が流れる経路を開閉して、前記インダクタンスに昇圧電圧を発生させるスイッチング回路と、出力電圧を検出する電圧検出回路と、前記電圧検出回路の検出結果を基にして前記スイッチング回路の開閉を制御する制御回路とを備え、前記携帯用電子機器が二次電池の充電拒否をしたことを示す出力電圧の変化を前記電圧検出回路が検出すると、前記制御回路は前記スイッチング回路の開閉を制御して出力電圧を下げることを特徴とする携帯用充電器である。
【００１０】
請求項１の発明では、直流電源とインダクタンスとダイオードとコンデンサとを直列に接続した直列回路と、スイッチング回路とにより、充電用の出力電圧を生成する。また、携帯用電子機器が二次電池の充電拒否をすると、出力電圧が上昇して過電圧となる。この過電圧を電圧検出回路が検出すると、制御回路はスイッチング回路の開閉を制御して出力電圧を下げる。
【００１１】
請求項２の発明は、請求項１に記載の携帯用充電器において、前記直流電源が一次電池あるいは二次電池から構成されることを特徴とする。
【００１２】
請求項３の発明は、請求項１または２に記載の携帯用充電器において、前記制御回路がプログラマブルコントローラから構成されることを特徴とする。
【００１３】
請求項４の発明は、請求項１〜３のいずれか１項に記載の携帯用充電器において、前記直流電源が１．２Ｖ〜１．７Ｖの電圧を出力することを特徴とする。
【発明の効果】
【００１４】
請求項１に記載の発明によれば、直列回路とスイッチング回路とにより充電用の出力電圧を生成するので、一個の電池から構成される直流電源の直流電圧を簡単な構成で昇圧することができる。また、一個の電池を用いるだけで携帯用電子機器の二次電池を小型の装置で充電することができ、かつ、携帯用電子機器が充電拒否をした場合には充電用の出力電圧を下げるので確実な充電ができる。さらに、従来のようにＤＣ−ＤＣコンバータ（インバータ）を不要にすることができる。
【００１５】
請求項２に記載の発明によれば、直流電源として一次電池あるいは二次電池の中から任意の一個を選択して構成することができるので、直流電源を構成する電池の選択肢を広げることを可能にする。
【００１６】
請求項３に記載の発明によれば、制御回路をプログラマブルコントローラから構成することができるので、直流電圧を制御性よく所望の電圧まで時系列的に昇圧することができる。
【００１７】
請求項４に記載の発明によれば、直流電源が１．２Ｖ〜１．７Ｖの電圧を出力するので、広範囲に出回っている高性能の一次電池あるいは二次電池の中から任意の電池を一個選択して直流電源を構成することを可能にする。
【発明を実施するための最良の形態】
【００１８】
以下、本発明を図示の実施形態に基づいて説明する。
【００１９】
（実施の形態１）
図１は、本発明の実施形態に係る携帯用充電器１０の電気回路部分を示す電気回路図である。この実施形態では携帯用充電器１０が携帯電話機用である場合を例としている。携帯電話機は二次電池を持ち、この二次電池には最大の充電電圧が設定されている。最大の充電電圧は二次電池に悪影響を及ぼさないで充電できる最大の電圧である。携帯用充電器１０はこうした二次電池を充電するものであり、携帯用充電器１０の電気回路部分は直流電源Ｅｉと電源回路１０Ａとを備え、電源回路１０ＡはインダクタンスＬ１、ダイオードＤ１、発光ダイオードＬＥＤ１、抵抗Ｒ１、Ｒ２、コンデンサＣ１、スイッチング回路１、制御回路２、電圧検出回路３、入力端子４Ａ、４Ｂ、および出力端子５Ａ、５Ｂを備えている。
【００２０】
直流電源Ｅｉは例えば、１．２Ｖの電圧を出力する二次電池であるニッケル・水素電池、１．５Ｖの電圧を出力する一次電池であるアルカリ電池、マンガン電池、あるいは１．７Ｖの電圧を出力する一次電池であるオキシライド電池などから選択された一個の電池から構成される。また、直流電源Ｅｉは入力端子４Ａ、４Ｂに対して着脱自在である。
【００２１】
直流電源ＥｉとインダクタンスＬ１とダイオードＤ１とコンデンサＣ１とは直列に接続されて直列回路を形成している。コンデンサＣ１のプラス側は抵抗Ｒ１を経てプラス（＋）の出力端子５Ａに接続され、コンデンサＣ１のマイナス側はグランドライン６に接続されている。グランドライン６はマイナス（−）の入力端子４Ｂとマイナス（−）の出力端子５Ｂとの間の配線である。また、インダクタンスＬ１とダイオードＤ１との接続点と、グランドライン６との間にはスイッチング回路１が接続され、出力端子５Ａと出力端子５Ｂとの間には制御回路２および電圧検出回路３が接続されている。さらに、出力端子５Ａと制御回路２との間には、発光ダイオードＬＥＤ１と抵抗Ｒ２との直列回路が接続されている。なお、出力端子５Ａと出力端子５Ｂとの間には携帯電話機の充電端子が接続可能である。
【００２２】
発光ダイオードＬＥＤ１は制御回路２の制御により点灯・消灯をする。抵抗Ｒ２は発光ダイオードＬＥＤ１に流れる電流を制限する電流制限抵抗である。
【００２３】
インダクタンスＬ１は直流電源Ｅｉを昇圧する。つまり、スイッチング回路１のスイッチング動作によりスイッチング回路１の端子１Ａと端子１Ｂとの間が閉じると、直流電源ＥｉからインダクタンスＬ１、端子１Ａ、端子１Ｂを経て電流が流れる経路が形成される。この後、スイッチング回路１が開くと、インダクタンスＬ１は、電流変化による誘導起電力を発生し、この誘導起電力による電圧と直流電源Ｅｉの電圧とを加えた脈流電圧を昇圧電圧として出力する。この結果、１．２Ｖの電圧を出力する二次電池であるニッケル・水素電池を用いても、携帯電話機の二次電池を充電するために必要な出力電圧を昇圧電圧から得ることが可能である。
【００２４】
ダイオードＤ１は逆流防止用である。つまり、スイッチング回路１のスイッチング動作によりスイッチング回路１の端子１Ａと端子１Ｂとの間が閉じたとき、コンデンサＣ１からスイッチング回路１に向かって流れる電流を阻止する。コンデンサＣ１は平滑用である。つまり、ダイオードＤ１を経て昇圧電圧が加えられると、この昇圧電圧である脈流電圧を平坦にし、平滑された直流電圧を生成する。コンデンサＣ１の直流電圧は保護抵抗である抵抗Ｒ１を経て出力端子５Ａと出力端子５Ｂとの間に出力される。
【００２５】
電圧検出回路３は、出力端子５Ａと出力端子５Ｂとの間の出力電圧を検出する。なお、携帯電話機を最大の充電電圧で充電するための出力電圧が最大出力電圧Ｖ１である。出力電圧があらかじめ設定された過電圧Ｖ２以上になると、電圧検出回路３は過電圧Ｖ２を示す検出信号を制御回路２に出力する。なお、過電圧Ｖ２は最大出力電圧Ｖ１に対して、
Ｖ１＜Ｖ２
のように設定されている。
【００２６】
スイッチング回路１は、ブロッキング発振をする回路であり、直流電源Ｅｉが入力端子４Ａ、４Ｂに接続された時点で、制御回路２の駆動用電圧を生成するための初期条件でブロッキング発振を開始する。このブロッキング発振により、スイッチング回路１は端子１Ａと端子１Ｂとの間の開閉を行う。初期条件によるブロッキング発振としては、制御回路２の駆動用電圧を生成するための所定周波数でのブロッキング発振や、制御回路２の駆動用電圧を生成するための所定のデューティー比によるブロッキング発振がある。初期条件でのブロッキング発振の後、制御回路２が動作を開始すると、スイッチング回路１は制御回路２の制御によりブロッキング発振を行う。
【００２７】
制御回路２は、携帯用充電器１０の制御を行うものであり、例えばＰＩＣ（Ｐｅｒｉｐｈｅｒａｌ  Ｉｎｔｅｒｆａｃｅ  Ｃｏｎｔｒｏｌｌｅｒ）を利用したプログラマブルコントローラなどによって構成される。制御回路２は初期電圧により動作を開始する。初期電圧は、スイッチング回路１が初期条件でブロッキング発振を行い、コンデンサＣ１がこの発振で生成された昇圧電圧を平滑して得たものである。制御回路２は、初期電圧により動作を開始すると、電圧検出回路３からの検出信号を基にしてスイッチング回路１のブロッキング発振を制御すると共に、発光ダイオードＬＥＤ１の点灯・消灯を制御する。制御回路２は昇圧制御のために、
充電開始処理
充電処理
充電終了処理
の３つの処理を行う。
【００２８】
先ず、制御回路２は、発光ダイオードＬＥＤ１を点灯して充電開始処理を行い、携帯電話機の二次電池に対して最大の充電電圧による充電を試みる。このために、制御回路２はスイッチング回路１のブロッキング発振を制御する。この制御としては、最大出力電圧Ｖ１を生成するための周波数でのブロッキング発振や、最大出力電圧Ｖ１を生成するためのデューティー比によるブロッキング発振がある。この後、電圧検出回路３からの検出信号が過電圧Ｖ２を示さなければ、制御回路２は、最大の充電電圧で充電する充電処理を行う。なお、過電圧Ｖ２は、携帯電話機が二次電池に対し充電拒否をして充電電流を遮断したときに、出力端子５Ａと出力端子５Ｂとの間の出力電圧が上昇することにより発生する。
【００２９】
電圧検出回路３からの検出信号が過電圧Ｖ２を示し、携帯電話機の二次電池を最大の充電電圧で充電する試みが失敗すると、制御回路２は、最大出力電圧Ｖ１に比べて低い中間電圧で携帯電話機の二次電池を充電することを試みる。なお、携帯電話機を中間電圧で充電するための出力電圧が、
Ｖ３＜Ｖ１＜Ｖ２
の関係にある中間出力電圧Ｖ３である。このために、制御回路２はスイッチング回路１のブロッキング発振を制御する。この後、電圧検出回路３からの検出信号が過電圧Ｖ２を示さなければ、制御回路２は、中間出力電圧Ｖ３で充電する充電処理を行う。
【００３０】
電圧検出回路３からの検出信号が過電圧Ｖ２を示し、中間電圧で携帯電話機の二次電池を充電する試みが失敗すると、制御回路２は、充電失敗と判断して充電終了処理を行う。
【００３１】
制御回路２は、充電開始処理が終了すると、発光ダイオードＬＥＤ１を点灯して、最大出力電圧Ｖ１を出力して最大の充電電圧で充電する充電処理、または、中間出力電圧Ｖ３を出力して中間電圧で充電をする充電処理を行う。この充電処理で制御回路２は、携帯電話機の二次電池が満充電になり電圧検出回路３からの検出信号が過電圧Ｖ２を示すまで、最大の充電電圧での充電または中間電圧での充電を続ける。そして、制御回路２は、電圧検出回路３からの検出信号により過電圧Ｖ２を検出すると、充電完了と判断して充電終了処理を行う。
【００３２】
充電開始処理または充電処理が終了すると、制御回路２は発光ダイオードＬＥＤ１を消灯する。そして、制御回路２は携帯電話機をアイドリング状態にし、携帯電話機の接続解除を待つ。携帯電話機をアイドリング状態にするための出力電圧が、
Ｖ４＜Ｖ３＜Ｖ１＜Ｖ２
の関係にある最小出力電圧Ｖ４である。
【００３３】
図２は、本実施形態に係る携帯用充電器１０の外観を示す概略構成図である。この携帯用充電器１０は、直流電源Ｅｉとなる電池１３を収納するための絶縁体から構成された円筒形状の電池収納ケース１１と、この電池収納ケース１１の一端に開閉可能に取り付けられた蓋体１２と、電池収納ケース１１の内部に設けられて電池１３の＋極、−極を押圧するための一対の導電性スプリング１３Ａ、１３Ｂと、電池収納ケース１１の他端に設けられた基板収納部１４とを有する収納ケースが用いられて、図１の電気回路部分を構成する回路基板が基板収納部１４に収納されるように実装される。この実施形態では、プラスの入力端子４Ａが導電性スプリング１３Ａに該当し、マイナスの入力端子４Ｂが導電性スプリング１３Ｂに該当する。基板収納部１４の図示上部の突出しているコネクタ部が携帯電話機の充電端子部に装填されて、携帯電話機の電源用の電池が充電されるように構成されている。このコネクタ部に電気回路部分の出力端子５Ａ、５Ｂが収納されている。
【００３４】
次に、本実施形態に係る携帯用充電器１０の動作について、図３のフローチャートを参照して説明する。まず、携帯電話機の利用者は、図２に示したような携帯用充電器１０の電池収納ケース１１の蓋体１２を開けることにより、今まで使用していた電池１３を取り外して、新たな電池１３として例えば１．７Ｖの電圧を出力する一次電池であるオキシライド電池を装填する（ステップＳ１）。次に、携帯用充電器１０のコネクタ部を携帯電話機の充電端子部に装填することにより、携帯用充電器１０を携帯電話機に接続する（ステップＳ２）。以上により、利用者の操作は終了する。
【００３５】
次に、携帯用充電器１０では、図１に示したスイッチング回路１がブロッキング発振を開始して、後段の制御回路２の動作に必要な電力を生成する（ステップＳ３）。これには、スイッチング回路１によりインダクタンスＬ１から出力された昇圧電圧をコンデンサＣ１により直流電圧に変換して初期電圧を生成した後、この初期電圧を制御回路２に入力する。制御回路２としてＰＩＣを用いたときに、制御回路２は初期設定処理を行った（ステップＳ４）後、発光ダイオードＬＥＤ１を点灯させる（ステップＳ５）。
【００３６】
次に、制御回路２は、携帯電話機に対して最大の充電電圧による充電を試みるために、最大出力電圧Ｖ１を出力するように最大出力設定をすると（ステップＳ６）、携帯用充電器１０は出力端子５Ａ、５Ｂから最大出力電圧Ｖ１を出力する（ステップＳ７）。次に、制御回路２は電圧検出回路３からの検出信号を基にして出力端子５Ａ、５Ｂの出力電圧が過電圧Ｖ２であるか否かを判断する（ステップＳ８）。出力端子５Ａ、５Ｂの出力電圧が過電圧Ｖ２である場合は携帯電話機に対して中間電圧による充電を試みるために、中間出力電圧Ｖ３を出力するように出力再設定をした（ステップＳ９）後、予め決められた確認時間Ｔ１が経過したか否かを判断する（ステップＳ１０）。確認時間Ｔ１が経過していない場合、制御回路２は（ステップＳ７）〜（ステップＳ１０）のルーチンを繰り返す。
【００３７】
確認時間Ｔ１が経過した場合に、制御回路２は充電失敗（携帯電話機が充電拒否をした）と判断して、発光ダイオードＬＥＤ１を消灯させる（ステップＳ１９）。次に、制御回路２は、最小出力電圧Ｖ４を出力するための最小出力設定をし（ステップＳ２０）、出力端子５Ａ、５Ｂから最小出力電圧Ｖ４を出力させた（ステップＳ２１）後、フローを（ステップＳ１９）に戻す。この段階では、携帯用充電器１０はアイドリング（最小出力）状態にあって、携帯電話接続解除を待っている。
【００３８】
一方、フローが（ステップＳ８）において過電圧Ｖ２でない場合には、予め決められた経過時間Ｔ２が経過したか否かを判断する（ステップＳ１１）。なお、経過時間Ｔ２は、
Ｔ２＜Ｔ１
の関係にある。経過時間Ｔ２が経過していない場合、制御回路２は（ステップＳ６）〜（ステップＳ１１）のルーチンを繰り返す。経過時間Ｔ２が経過した場合には、制御回路２は発光ダイオードＬＥＤ１を消灯させた（ステップＳ１２）後、ステップＳ６からステップＳ１０の充電開始確認ループで設定された最大出力電圧Ｖ１または中間出力電圧Ｖ３を出力端子５Ａ、５Ｂから出力させる（ステップＳ１３）。
【００３９】
次に、制御回路２は、電圧検出回路３からの検出信号を基にして出力端子５Ａ、５Ｂから出力された出力電圧が過電圧Ｖ２であるか否かを判断する（ステップＳ１４）。過電圧Ｖ２である場合は充電完了と判断してフローは（ステップＳ１９）に進む。出力端子５Ａ、５Ｂの出力電圧が過電圧Ｖ２でない場合には予め決められた経過時間Ｔ３が経過したか否かを判断する（ステップＳ１５）。なお、経過時間Ｔ３は、
Ｔ３＜Ｔ２＜Ｔ１
の関係にある。経過時間Ｔ３が経過していない場合、制御回路２は（ステップＳ１３）〜（ステップＳ１５）のルーチンを繰り返す。経過時間Ｔ３が経過した場合には、制御回路２は発光ダイオードＬＥＤ１を点灯させた（ステップＳ１６）後、充電開始確認ループで設定された最大出力電圧Ｖ１または中間出力電圧Ｖ３を出力端子５Ａ、５Ｂから出力させる（ステップＳ１７）。次に、予め決められた経過時間Ｔ４が経過したか否かを判断する（ステップＳ１８）。なお、経過時間Ｔ４は、
Ｔ４＜Ｔ３＜Ｔ２＜Ｔ１
の関係にある。経過時間Ｔ４が経過しない場合、制御回路２は、フロー（ステップＳ１７）に戻り、経過時間Ｔ４が経過した場合には（ステップＳ１２）〜（ステップＳ１８）のルーチンを繰り返す。
【００４０】
以上のような本実施形態に係る携帯用充電器１０によれば、一個の電池から構成される直流電源Ｅｉの直流電圧（１．２〜１．７Ｖ）をインダクタンスＬ１とスイッチング回路１とにより昇圧電圧に変換し、この昇圧電圧をコンデンサＣ１により直流電圧に変換した後、携帯電話機に供給するので、簡単な回路構成で、しかも一個の電池を用いるだけで、携帯電話機の二次電池を充電することができる。また、最大出力電圧Ｖ１または中間出力電圧Ｖ３の２通りで携帯電話機を充電するので、携帯電話機による充電拒否の可能性を低くし、確実な充電を可能にする。
【００４１】
（実施の形態２）
実施形態１では、最大出力電圧Ｖ１または中間出力電圧Ｖ３の２通りで携帯電話機を充電したが、この実施形態では、直流電源Ｅｉの接続後に例えば図４に示すように、制御回路２は最小出力電圧Ｖ４を出力端子５Ａ、５Ｂから出力し、時間経過と共に出力電圧を最大出力電圧Ｖ１まで上昇するようにスイッチング回路１のブロッキング発振を制御する。つまり、制御回路２は、携帯電話機に対してアイドリング状態にするための最小の充電電圧から最大の充電電圧まで電圧を時間経過と共に変化させ、最後に最大の充電電圧で充電する。
【００４２】
以上のような本実施形態に係る携帯用充電器１０によれば、時系列的に徐々に昇圧した直流電圧により携帯電話機の二次電池を安定に充電することができる。すなわち、制御回路２により時系列的に徐々に昇圧した直流電圧を携帯電話機に供給するので、携帯電話機に備えられているプロテクタ回路が働かないため、充電を停止させることなく二次電池を安定に充電することができる。
【００４３】
以上、この発明の各実施形態について説明したが、具体的な構成は、各実施形態に限られるものではなく、この発明の要旨を逸脱しない範囲の設計の変更などがあっても、この発明に含まれる。例えば、携帯用充電器が適用される携帯用電子機器としては携帯電話機に例をあげて説明したが、携帯電話機に限らずに携帯用パソコン、携帯用ＣＤプレーヤ、携帯用ＭＤプレーヤなどの他の携帯用電子機器に対しても適用することができる。また、携帯用充電器の直流電源としてはオキシライド電池を使用する例で説明したが、これに限らず１．２Ｖの電圧を出力する二次電池であるニッケル・水素電池、１．５Ｖの電圧を出力する一次電池であるアルカリ電池、マンガン電池などの他の電池を使用することもできる。また、携帯用充電器を構成する電気回路部分に用いた抵抗、キャパシタ、インダクタ、ダイオード、ＩＣなどの部品は一例を示したものであり、目的、用途などに応じて適宜変更することができる。
【図面の簡単な説明】
【００４４】
【図１】本発明の実施形態１による携帯用充電器の電気回路を示す回路図。
【図２】本発明の実施形態１に係る携帯用充電器を収納ケースに収納した外観を示す概略構成図。
【図３】本発明の実施形態１に係る携帯用充電器の動作を示すフローチャート。
【図４】本発明の実施形態２に係る携帯用充電器に使用される制御回路の動作を説明する特性図。
【符号の説明】
【００４５】
１０  携帯用充電器
Ｅｉ  直流電源
１０Ａ  電源回路
Ｌ１  インダクタンス
Ｄ１  ダイオード
ＬＥＤ１  発光ダイオード
Ｒ１、Ｒ２  抵抗
Ｃ１コンデンサ
１  スイッチング回路
２  制御回路
３  電圧検出回路
４Ａ、４Ｂ  入力端子
５Ａ、５Ｂ  出力端子
６  グランドライン
１１  電池収納ケース
１２  蓋体
１３  電池
１３Ａ、１３Ｂ  導電性スプリング
１４  基板収納部
【図１】
2008061324.tif 000003
【図２】
2008061324.tif 000004
【図３】
2008061324.tif 000005
【図４】
2008061324.tif 000006